(57)【要約】【課題】リムレスメガネのレンズ表面に貫通孔の他に穴を設ける事無く、簡単な構造でレンズとフロント部材の供廻りを防止する事。【解決手段】レンズ表面の左右端部に穿設された各一箇所の貫通孔（１１０）に、固定部材（１２０、１２１）をフロント部材（１３０）とレンズ（Ｌ）を固定出来るように配し、次ぎに少なくとも一個以上の球状体（１４０）を用意し、そして、前記フロント部材のレンズ対向面に前記球状体を係止する係止部（１５０）を設け、前記固定部材を締め付ける事により、前記球状体をフロント部材とレンズ面とにより挟着させ、前記レンズとフロント部材との供廻り防止可能に止着出来る様にした。【選択図】図１
2004318036.tif 000002
【特許請求の範囲】
【請求項１】
リムレスメガネのフロント部材とレンズとの止着構造であって、レンズ表面の左右端部に穿設された各一箇所の貫通孔に、固定部材をフロント部材とレンズを固定出来るように配し、次ぎに少なくとも一個以上の球状体を用意し、そして、前記フロント部材のレンズ対向面に前記球状体を係止する係止部を設け、前記固定部材を締め付ける事により、前記球状体をフロント部材とレンズ面とにより挟着させ、前記レンズとフロント部材との供廻り防止可能に止着出来る様にした事を特徴とする、リムレスメガネの止着構造及び該止着構造を具備したリムレスメガネ。
【請求項２】
前記球状体がフロント部材と一体的に形成された半球状体又は接合によりフロント部材と一体化された球状体である事を特徴とする、請求項１記載のリムレスメガネの止着構造及び該止着構造を具備したリムレスメガネ。
【請求項３】
前記フロント部材がヨロイ部材又はブリッジ部材で或る事を特徴とする、請求項１記載のリムレスメガネの止着構造及び該止着構造を具備したリムレスメガネ。
【請求項４】
前記フロント部材と固定部材が一体的に形成されたものである事を特徴とする、請求項１から３項の何れか１項に記載のリムレスメガネの止着構造及び該止着構造を具備したリムレスメガネ。
【請求項５】
前記フロント部材と固定部材が別体に設けられた物で或る事を特徴とする、請求項１から３項の何れか１項に記載のリムレスメガネの止着構造及び該止着構造を具備したリムレスメガネ。
【請求項６】
前記固定部材がフロント部材上を移動可能なように設けられた物で或る事を特徴とする、請求項５に記載のリムレスメガネの止着構造及び該止着構造を具備したリムレスメガネ。
【発明の詳細な説明】
【０００１】
【発明の属する技術分野】
本発明は、リムレスメガネのレンズとフロント部材との供廻りを防止可能にする新規な止着構造に関するものである。
【０００２】
【従来の技術】
従来より、リムレスメガネのレンズとフロント部材との止着構造に於いて、互いに廻り止めをする為の物としては、（イ）レンズ表面の貫通孔の他にその近辺にもう一つの貫通孔又はメクラ穴を設けて、二箇所の穴でフロント部材とレンズを固定したもの、例えば、登実第３００３７１６号が提案されている。（ロ）又、フロント部材にレンズ貫通孔で止着し、且つ、フロント部材の他の場所に尖鋭突起部を設けてレンズ表面に食い込ませて止着するもの、その例としては、特開平１０−１８６２８５号が提案されている。（ハ）そして、又、特許第２０５５３５５号のように、レンズ貫通孔に直接球状ワッシャーが設けられたものも提案されている。
【０００３】
【発明が解決しようとする課題】
しかしながら、上記（イ）の場合に於いては、レンズ貫通孔の直ぐそばに他の穴を設けなければならず、レンズに亀裂が生じ易く、レンズの割れる事故が多くなってきていた。又、フロント部材とレンズ穴どうしの位置が正確に設ける事が出来なくて、フロント部材の位置の調整が困難であった。
【０００４】
又、（ロ）の場合に於いても、レンズ貫通孔の他にレンズ表面に突起を食込ませる事による応力のレンズ一点への集中により、レンズ表面に亀裂が生じ易くなっていた。
【０００５】
（ハ）の場合に於いては、強く締めつけるとレンズ貫通孔周囲に応力が集中しそこから亀裂が生じる事が多かった。又、共廻り防止の機能は備わっていない。
【０００６】
【課題を解決するための手段】
上記課題を解決する為に、本発明に於いてはまず主として、レンズ表面の左右端部に穿設された各一箇所の貫通孔に、固定部材をフロント部材とレンズを固定出来るように配し、次ぎに少なくとも一個以上の球状体を用意し、そして、前記フロント部材のレンズ対向面に前記球状体を係止する係止部を設け、前記固定部材を締め付ける事により、前記球状体をフロント部材とレンズ面とにより挟着させ、前記レンズとフロント部材との供廻り防止可能に止着した事を特徴とする、リムレスメガネの止着構造及び該止着構造を具備したリムレスメガネを提供する事により上記課題の解決を図った。そうする事により、レンズ表面に貫通孔以外の傷又は穴を設け無くても済み、球状体の球面とレンズ表面の球面により応力が集中せずに、逆に応力が分散し少々強く締め上げてもレンズに亀裂や傷は生じなかった。以下、図によって本発明を詳述するが、本発明は図によって限定されるものではなく、特許請求の範囲に於いて定義される。
【０００７】
【実施例】
図１は本発明の、要部分解斜視図であり、レンズＬの表面に端部に穿設された貫通孔１１０に、固定部材１２０、１２１を、フロント部材１３０とレンズＬとを固定出来るように配し、そして、少なくとも一個以上の球状体１４０（本図の場合は二個であるが個数に限定はされない）を用意する。そして、前記フロント部材１３０ののレンズ対向面に前記球状体１４０を係止させるための係止部１５０，１５１を設ける。この係止部は図の様に、球状体の一部が嵌合する凹部であっても良い。次ぎに、図２の如く、固定部材１２０、１２１により、レンズＬとフロント部材１３０を締め付ける事により、前記球状体１４０はフロント部材１３０とレンズＬにより挟着され、レンズＬ表面に圧接する様にされる。その状態を拡大したのが図３であり、球状体１４０がレンズＬの表面に、僅かに凹部１６１を形成する様に沈み込むようになり、球状体周りに輪状の土手部１６０が出来る事により、レンズＬとフロント部材１３０が供廻りをせずに止着される事になる。
【０００８】
又、上記したように、球状体の球面とレンズ表面の球面により応力が集中せずに、逆に応力が分散し少々強く締め上げてもレンズに亀裂や傷は生じなかった。又、上記球状体としては、金属製、ジルコニア製、セラミック製、又は硬質のエンプラ系樹脂等のベアリングが使用可能である。
【０００９】
又、レンズは樹脂製のレンズで或る事が好ましく、フロント部材としては、金属製、又はエンプラ系樹脂が適当である。
【００１０】
次ぎに図４は、本発明の他の実施例の要部断面図であり、この図例の場合、前記係止用球状体をフロント部材１３１と一体的に形成された半球状体１４１にしたものであり、この様な構造でも上述した課題の解決には有効である。この場合はフロント部材の加工に手間が少し掛かる事になるが、組み付ける場合は簡単になる。
【００１１】
図５は球状体１４２がフロント部材１３２と接合により一体化されて設けられた場合、すなわち、フロント部材１３２の球状体係止部又は係止用凹部１５２，１５３に接着剤、粘着剤、又はロウ付け等により球状体１４２が予め一体化されて設けられた場合であり、全体を組立てる場合はこの方法がより簡単に組立上げる事が出来る。
【００１２】
図６は本発明の他の実施例であって、この場合は、フロント部材がブリッジ部分である場合の平面図であり、止着部の構造はヨロイ部と基本的には変わらない。
【００１３】
図７は、本発明の他の実施例図であり、フロント部材１３３と固定部材１２２が一体的に形成されたもの、例えば植付ボルト又は接合されたボルト、そしてそれを締め付けるナットであっても良い。
【００１４】
次ぎに、図８は本発明の他の実施例図であり、この場合は、フロント部材１３４と固定部材１２３，１２４が別体にされたもので、この方法でも勿論構わない。
【００１５】
図９は、本発明の他の実施例図であり、この場合は、フロント部材１３５上を別体に設けられた固定部材１２５が移動可能なようにされる事により、レンズ貫通孔１１１の穴開け角度が多少狂ったりしても修正する事無く装着でき更に好ましい状態となる。
【００１６】
図１０はフロント部材１３６をレンズＬの後表面に配した本発明の変化例の図示であって、この場合は、他の人から見た外観がスッキリして見える事に特徴が有り、デザイン的な応用図例である
【００１７】
次ぎに、図１１も本発明のデザイン的な応用例であって、フロント部分のフロント部材１３７は色んな形状、例えば、図の様なＳ字型やＬ字型（図示無し）をレンズ表面に表す事が簡単に出来、且つしっかりとレンズに固定され、今迄に無いデザインも可能である。
【００１８】
そして、図１２も本発明の他の応用例であって、この場合は係止用球状体１４３を三個使用した場合の斜視図であるが、これもデザイン的な広がりを表す物であり、勿論四個でも、もっと多数個でも構わない。
【００１９】
【発明の効果】
以上のように、本発明によると、リムレスメガネのレンズとフロント部材の廻り止めがしっかり行え、レンズに貫通孔以外の穴や傷を付ける事無くレンズ割れも少なく、そして、簡単な手段でしっかり固定され、レンズ周面の掴み部分も必要無く、見栄えも良く、デザインの多様性も抜群であり、これからのリムレスメガネの一つの新しい方向性を指し示す物となる発展性のある発明である。
【図面の簡単な説明】
【図１】本発明の実施例の要部分解斜視図
【図２】図１から組立てた一部断面図
【図３】図２の要部拡大断面図
【図４】本発明の他の実施例の要部断面図
【図５】本発明の他の実施例の要部断面図
【図６】本発明のブリッジ部の要部断面図
【図７】本発明の他の実施例の要部断面図
【図８】本発明の他の実施例の要部断面図
【図９】本発明の他の実施例の要部断面図
【図１０】本発明の応用例の要部断面図
【図１１】本発明の他の応用例の分解斜視図
【図１２】本発明の他の応用例の分解斜視図
【符号の説明】
１１０：レンズ貫通孔
１２０，１２１：固定部材
１３０：フロント部材
１４０：球状体
１５０：フロント部材係止部
１５２、１５３：接着部（粘着部、ロウ付け部）
１６０：輪状土手部分
１６１：凹部
【図１】
2004318036.tif 000003
【図２】
2004318036.tif 000004
【図３】
2004318036.tif 000005
【図４】
2004318036.tif 000006
【図５】
2004318036.tif 000007
【図６】
2004318036.tif 000008
【図７】
2004318036.tif 000009
【図８】
2004318036.tif 000010
【図９】
2004318036.tif 000011
【図１０】
2004318036.tif 000012
【図１１】
2004318036.tif 000013
【図１２】
2004318036.tif 000014